(57)【特許請求の範囲】
【請求項１】
半田付け装置を駆動するための駆動軸を有する駆動装置を備えた半田付け機械において、半田付けプロセスを行うためのストローク・圧力調整装置であって、
前記駆動装置の駆動軸に取り付けられたスレッドスリーブであって、当該スレッドスリーブおよび前記駆動装置の間の距離が、前記駆動装置のストロークを調整するために調節可能に構成してあるスレッドスリーブと、
当該スレッドスリーブに取り付けられたスライダーであって、当該スライダーおよび前記駆動装置の間の距離が、調節可能に構成してあるスライダーと、
前記スライダーおよび前記駆動装置の間に配置されたばね部材であって、前記スライダーおよび前記駆動装置の間の距離が、前記ばね部材の弾性力を調整するために調節可能に構成してあることにより、前記駆動装置の操作圧力についても調節可能に構成してあるばね部材と、
を含むことを特徴とする半田付け機械用ストローク・圧力調整装置。
【請求項２】
請求項１に記載の半田付け機械用ストローク・圧力調整装置において、前記半田付け装置が、液晶表示装置製造用半田付け装置であることを特徴とする半田付け機械用ストローク・圧力調整装置。
【請求項３】
請求項１に記載の半田付け機械用ストローク・圧力調整装置において、前記半田付け装置における駆動装置が、空気圧シリンダーであることを特徴とする半田付け機械用ストローク・圧力調整装置。
【請求項４】
請求項１に記載の半田付け機械用ストローク・圧力調整装置において、前記半田付け装置における駆動装置が、水圧シリンダーであることを特徴とする半田付け機械用ストローク・圧力調整装置。
【発明の詳細な説明】
【０００１】
【発明の属する技術分野】
本発明は、半田付け機械用ストローク・圧力調整装置（以下、単に、ストローク・圧力調整装置と称する場合がある。）に関し、特に、ストローク・圧力調整装置を、半田付け装置における駆動装置に対して、同軸に備えた半田付け機械、およびその半田付け機械用のストローク・圧力調整装置に関する。
【０００２】
【従来の技術】
電子技術の発展に伴い、集積回路装置（ＩＣ）は多数の電子製品に使用されてきた。そして、これらの電子製品の製造工程において、回路基板に対して、電子部品を電気的に接続する際には、通常、表面実装技術が用いられている。すなわち、通常、電子部品や回路基板の接続ポイントに対して半田が供給され、次いで、この接続ポイントを、半田付け工程における半田付け装置によって加熱することにより、半田が溶融されてリフローされることになる。したがって、溶融された半田が、表面張力によって、接続ポイントを濡らし、接続状態となる。そして、冷却された後には、電子部品は、回路基板に対して、電気的接続されるとともに、実装されることになる。
【０００３】
また、液晶表示装置（ＬＣＤ）は、低エネルギー消費性、低熱発散性、軽量性、かつ、非発光性という利点を有しており、そのため、ディスプレイとして、電子製品において広く使用されており、従来のＣＲＴを置き換えてしまったとさえ言える。
そして、液晶表示装置のモジュールの製造においては、駆動集積回路（ドライバＩＣ）及び制御集積回路（コントローラＩＣ）が表面実装技術によって液晶表示装置のセルに取り付けられている。
図１は、従来の半田付け用機械１０を示している。この半田付け用機械１０は、キャリアー２２をその上に保持するためのブラケット１４を有している。また、キャリアー２２には、空気圧シリンダー１２が備え付けられており、この空気圧シリンダー１２の駆動軸は、浮動コネクター１６に接続されている。この浮動コネクター１６は、半田付け用機械１０における半田付けヘッド２０を有する半田付け装置２３に対して取り付けられている。この半田付け装置２３は、ばね部材１８によって、シリンダー１２の基部に対しても接続されており、これによって、半田付け装置２３に対して、上方向きに復帰する弾性力が与えられている。
【０００４】
【発明が解決しようとする課題】
実際上、従来の半田付け装置１０においても、半田付けヘッド２０の操作上のストロークは、浮動コネクター１６によって調節可能であった。
しかしながら、この従来の半田付け装置における配置では、浮動コネクター１６が、ばね部材１８の背後に位置するため、浮動コネクター１６の調整が、ばね部材１８の存在によって妨害される場合が生じていた。
また、シリンダー１２の軸ａとばね１８部材の軸ｂとが、同軸でなくずれているため、ばね部材１８の復元力によって、シリンダー１２に対する横方向の力が発生することになる。そのため、横方向の力が、シリンダーとこのシリンダーの駆動軸との間のシールにダメージを引き起こし、シリンダーの寿命を著しく短縮してしまう恐れがあった。
【０００５】
また、この従来の配置では、ユーザーは、ばね部材１８の復元力を調整して半田付け装置１０の実装圧力を調整するために、ばね部材１８の長さをしばしば変化させる必要が生じていた。
一方で、ばね部材の長さを正確に変化させるのは容易ではなく、したがって、実装時の加圧力を正確に調節できない恐れがあった。
したがって、ストローク・圧力調整装置が半田付け装置の駆動装置と同軸にあって、実装圧力を正確に調整することができる半田付け装置による半田付け工程を行うためのストローク・圧力調整装置が望まれていた。
【０００６】
すなわち、本発明の第一の目的は、ストローク・圧力調整装置と、半田付け機械の駆動装置とが同軸にある半田付け機械において、半田付け工程を行うためのストローク・圧力調整装置を提供することにある。
また、本発明の他の目的は、半田付け機械における半田付けヘッドの操作圧力を正確に調節することができる半田付け機械において、半田付け工程を行うためのストローク・圧力調整装置を提供することにある。
【０００７】
【課題を解決するための手段】
そこで、上記した目的を達成するため、本発明によれば、半田付け装置を駆動するための駆動軸を有する駆動装置を備えた半田付け機械において、半田付けプロセスを行うためのストローク・圧力調整装置であって、半田付け装置を駆動するための駆動装置の駆動軸に対してストローク・圧力調整装置が取り付けられている半田付け機械による半田付け工程用のストローク・圧力調整装置が提供される。
また、このストローク・圧力調整装置は、駆動装置の駆動軸に取り付けられたスレッドスリーブ（ねじ筒）と、このスレッドスリーブに取り付けられたスライダー（すべり部材）と、このスライダーおよび駆動装置との間に同軸的に配置されたばね部材と、を備えている。
そして、スレッドスリーブおよび駆動装置の間の距離は駆動装置のストロークを調整するために調節可能に構成してあり、スライダーおよび駆動装置の間の距離についても、ばね部材の弾性力を調整するために調節可能に構成してあり、それにより、駆動装置の操作圧力についても調節可能に構成してある。
【０００８】
また、本発明の半田付け機械による半田付け工程用のストローク・圧力調整装置の一態様によれば、半田付け装置が、液晶表示装置製造用半田付け装置であることが好ましい。
【０００９】
また、本発明の半田付け機械による半田付け工程用のストローク・圧力調整装置の一態様によれば、半田付け装置の駆動装置が空気圧シリンダーおよび水圧シリンダー、あるいはいずれか一方のシリンダーであることが好ましい。
【００１０】
すなわち、本発明のストローク・圧力調整装置によれば、半田付け装置の駆動装置に対して同軸に配置されているので、ばね部材の弾性力は、この駆動装置と同心的に発生することになる。したがって、このように構成することにより、横方向の力が発生せず、駆動装置の寿命を伸ばすことができる。
また、本発明に係るストローク・圧力調整装置によれば、他の構造物に妨害されることなく、簡単に、そして、正確に、駆動装置のストロークを調節することができる。
【００１１】
【発明の実施の形態】
本発明の半田付け機械用ストローク・圧力調整装置における利点、新規特徴等を、添付図面を参照しながら明確にする。
まず、図２は、本発明の好適な実施形態に係る半田付け装置５０を示している。この半田付け装置５０は、キャリアー６２をその上に保持するブラケット５４を有していることが好ましい。
また、キャリアー６２には、空気圧シリンダー５２が備え付けられており、この空気圧シリンダーの駆動軸は、浮動コネクター５６に対して接続されていることが好ましい。そして、この浮動コネクター５６は、半田付けヘッド６０を有する半田付け装置５０の半田付け装置６３に接続されている。また、シリンダー５２は、浮動コネクター５６に対向した他端部に、尾軸８０を有しており、この尾軸８０と、駆動軸とは実質的に同軸に構成してある。
なお、例示した空気圧シリンダー５２は、駆動装置であるが、水圧シリンダーと置換可能である。
【００１２】
また、図３及び図４には、尾軸８０を示している。この尾軸８０は、スレッドスリーブ７８に係合するための外側スレッド（雄ねじ）８２を有している。そして、スレッドスリーブ７８は、尾軸８０の雄ねじ８２と係合するための内側スレッド（雌ねじ）と、外側スレッド８２と、ナット７２と協同してスレッドスリーブ７８を尾軸８０上に正しく固定するためボルトヘッド７４と、を有している。
【００１３】
同様に、半田付け装置５０の尾軸８０は、スレッドスリーブ７８の外側スレッドに係合するための内側スレッドを有するスライダー７６と、半田付け装置５０のスライダー７６およびシリンダー５２の間に配置されるばね部材５８と、をさらに有している。
また、尾軸８０は、さらにナット８４を有しており、そして、このスライダー７６には遊び（曲面部分）がなく、ナット８４と協同してこのスライダー７６がスレッドスリーブ７８上の正しい位置に固定されるようになっている。
【００１４】
かかる構成によれば、シリンダー５２のストローク（スレッドスリーブ７８のボルトヘッド７４の底部とシリンダー５２の肩部８６との距離）は、簡単に調節することができ、半田付けヘッド６０による実装時のストロークについても、同時に調節することができる。
また、ばね部材５８の圧縮度合いも、ばね部材の復元力を調整するためにスライダー７６とシリンダー５２との距離を調整することで、簡単に調整することができ、そのため、半田付けヘッド６０の実装時の圧力についても、同時に調整することができる。
【００１５】
また、ユーザー（作業者）は、スレッドスリーブとスライダーとを用いて、半田付け装置の半田付けヘッドのストローク及び圧力を簡単に調節することができるようになった。このため、半田付け装置の半田付け工程を、迅速かつ正確に行うことができる。
【００１６】
以上、好適な実施形態を用いて本発明を説明してきたが、特許請求の範囲に記載された本発明の精神と範囲から離れることなしに、多くの他の変形例が作成可能であることは、容易に理解されるであろう。
【００１７】
【発明の効果】
本発明によれば、ストローク・圧力調整装置が、半田付け機械の駆動装置に対して同軸関係にある半田付け機械用ストローク・圧力調整装置を提供することが可能になった。
また、本発明によれば、半田付け機械における半田付けヘッドの操作圧力を正確に調節することができる半田付け機械用ストローク・圧力調整装置を提供することが可能になった。
【００１８】
【図面の簡単な説明】
【図１】従来の半田付け装置のストローク・圧力調整装置の側面図である。
【図２】本発明の一の実施形態に係る半田付け機械のストローク・圧力調整装置の側面図である。
【図３】図２で示された実施形態に係る半田付け機械のストローク・圧力調整装置の部分拡大図である。
【図４】図２で示された実施形態に係る半田付け機械のストローク・圧力調整装置の部分拡大断面図である。
【符号の説明】
１０：  半田付け装置
１２：  空気圧シリンダー
１４：  ブラケット
１６：  浮動コネクター
１８：  ばね部材
２０：  半田付けヘッド
２２：  キャリアー
２３：  半田付け装置
５０：  半田付け装置
５２：  空気圧シリンダー
５４：  ブラケット
５６：  浮動コネクター
５８：  ばね部材
６０：  半田付けヘッド
６２：  キャリアー
６３：  半田付け装置
７２：  ナット
７４：  ボルトヘッド
７６：  スライダー
７８：  スレッドスリーブ
８０：  尾軸
８２：  外側スレッド
８４：  ナット
８６：  肩部
【図１】
0003802386.tif 000002
【図２】
0003802386.tif 000003
【図３】
0003802386.tif 000004
【図４】
0003802386.tif 000005